(57)【要約】【課題】  コンパクトで見やすく、フィルターの作用が均一なビューファインダー及びそれを用いた撮像装置を提供する。【解決手段】  仮想面としての観察面とアイポイントの間に位置する観察光学であって、前記観察光学系は、前記観察面側から順に、第１レンズと、フィルターと、を備える。【選択図】図１
2009282180.tif 000002
【特許請求の範囲】
【請求項１】
仮想面としての観察面とアイポイントの間に位置する観察光学系であって、
前記観察光学系は、前記観察面側から順に、
第１レンズと、
フィルターと、
を備えることを特徴とする観察光学系。
【請求項２】
前記第１レンズを有する前群と、
前記フィルターと前記アイポイントの間に配置される後群と、
を備えることを特徴とする請求項１に記載の観察光学系。
【請求項３】
前記フィルターに入射する主光線と光軸とは、ほぼ平行であることを特徴とする請求項１又は請求項２に記載の観察光学系。
【請求項４】
前記後群が、正の屈折力を有するレンズ群を少なくとも備えることを特徴とする請求項２または請求項３に記載の観察光学系。
【請求項５】
以下の条件式（１）を満足することを特徴とする請求項４に記載の観察光学系。
０＜ｆ／ｆｐ＜１．０                              ・・・（１）
ただし、ｆは前記観察光学系全系の焦点距離、
ｆｐは前記正の屈折力を有するレンズ群の焦点距離、
である。
【請求項６】
以下の条件式（２）を満足することを特徴とする請求項１乃至請求項５のいずれか１つに記載の観察光学系。
０＜ｄ／Ｙ＜１                                    ・・・（２）
ただし、ｄは前記観察面と前記第１レンズ間の距離、
Ｙは前記観察面おける最軸外主光線の通過位置、
である。
【請求項７】
以下の条件式（３）を満足することを特徴とする請求項１乃至請求項６のいずれか１つに記載の観察光学系。
０．０１＜ｔａｎθ／ｄ＜０．５                    ・・・（３）
ただし、ｄは前記観察面と前記第１レンズ間の距離、
θは最大視野角、
である。
【請求項８】
前記後群は、移動するレンズを少なくとも１つ備えることを特徴とする請求項２乃至請求項７のいずれか１つに記載の観察光学系。
【請求項９】
前記フィルターは偏光板からなることを特徴とする請求項１乃至請求項８のいずれか１つに記載の観察光学系。
【請求項１０】
更に、前記観察面の位置に視野絞りまたは画像表示素子を有し、
以下の条件式（４）を満足することを特徴とする請求項１乃至請求項９のいずれかに記載の観察光学系。
３０＜ｔａｎ-1（Ｙ２／ｆ）＜４７                    ・・・（４）
ただし、Ｙ２は前記視野絞りまたは前記画像表示素子における対角長、
ｆは前記観察光学系全系の焦点距離、
である。
【請求項１１】
撮像素子と、画像を表示する画像表示素子と、前記撮像素子から得られた画像情報を前記画像表示素子にて表示可能な信号に変換するコントローラーと、前記画像表示素子に表示された画像を観察者の眼に導くビューファインダーとを有し、
前記ビューファインダーに請求項１乃至請求項１０のいずれか１つに記載の観察光学系を用いたことを特徴とする撮像装置。
【発明の詳細な説明】
【技術分野】
【０００１】
本発明は、観察光学系及びそれを用いた撮像装置に関する。
【背景技術】
【０００２】
小型化、高品位のために表示素子の前に偏光素子を入れているビューファインダーが開示されている（特許文献１）。また、虚像位置と偏光素子が被写界深度以上離れるよう配置されたビューファインダーが開示されている（特許文献２）。
【特許文献１】特開２００１−３５６２９５号公報
【特許文献２】特開２０００−５６２５７号公報
【発明の開示】
【発明が解決しようとする課題】
【０００３】
上記特許文献１に記載された技術では、表示素子とレンズの間の距離が短く、フィルターに視度が合ってしまい、ゴミや筋等が目立ち、表示素子が見づらいという問題があった。また、特許文献２に記載された技術では、表示素子とレンズの間の距離が長く、全体のサイズが大きくなってしまう。また、広視野角では距離を長く取るのは難しい。さらに、フィルターへの入射角が像高によって異なると均一な作用を得にくかった。
【０００４】
本発明は従来技術のこれらの問題点に鑑みてなされたものであり、その目的は、コンパクトで見やすく、フィルターの作用が均一な観察光学系及びそれを用いた撮像装置を提供することである。
【課題を解決するための手段】
【０００５】
上記目的を達成する本発明の観察光学系は、仮想面としての観察面とアイポイントの間に位置する観察光学系であって、前記観察光学系は、前記観察面側から順に、第１レンズと、フィルターと、を備えることを特徴とする。
【０００６】
また、本発明の撮像装置は、撮像素子と、画像を表示する画像表示素子と、前記撮像素子から得られた画像情報を前記画像表示素子にて表示可能な信号に変換するコントローラーと、前記画像表示素子に表示された画像を観察者の眼に導くビューファインダーとを有し、前記ビューファインダーに上記の観察光学系を用いたことを特徴とする。
【発明の効果】
【０００７】
以上の本発明によると、コンパクトで見やすく、フィルターの作用が均一な観察光学系、及びそれを用いた撮像装置を得ることができる。
【発明を実施するための最良の形態】
【０００８】
本実施形態の観察光学系について、以下説明する。なお、以下の説明において、アイポイントＥは、観察面Ｄから射出された最軸外の光束がφ４の仮想絞りＳ内をフルに通る位置（仮想絞りＳの位置）のことである。この位置では、最軸外の光束の光束径と、仮想絞りＳの開口部の径（φ４）は略一致している。また、アイポイント距離ＥＰは、観察光学系（接眼レンズ）の最もアイポイント側のレンズ面からアイポイントまでの距離のことである（図９参照）。
【０００９】
本実施形態の観察光学系は、ビューファインダーへの利用に適している光学系である。
ビューファインダーでは、観察面Ｄの位置に、視野絞り、すりガラスあるいは画像表示素子等の具体物が配置される。ただし、観察光学系としては、観察面Ｄの位置に具体物が存在しない。よって、観察光学系においては、観察面Ｄは仮想面となる。
【００１０】
本実施形態の観察光学系は、仮想面としての観察面とアイポイントの間に位置する観察光学系である。この観察光学系は、観察面側から順に、第１レンズと、フィルターとを備える。
【００１１】
第１レンズよりもアイポイント側にフィルターを備えるので、フィルターに視度（ピント）が合いにくくなる。この場合、フィルター上にゴミやほこりが付着していても、使用者がそれに気づくことがない。そのため、見やすい観察光学系を実現できる。また、観察面とフィルター間に距離を取らなくて良いので、光学系を小型化することができる。すなわち、全体にコンパクトな観察光学系を実現することができる。
【００１２】
また、本実施形態の観察光学系は、第１レンズを有する前群と、フィルターとアイポイントの間に配置される後群と、を備えることが好ましい。
【００１３】
前群と後群の間にフィルターを配置したので、フィルターにゴミやホコリが付着してもゴミやホコリ等が気にならない。
【００１４】
また、本実施形態の観察光学系では、フィルターに入射する主光線と光軸とは、ほぼ平行であることが好ましい。
【００１５】
フィルターへ入射する主光線の入射角が各主光線で等しくなるので、視野角に関係なく均一な作用を得ることができる。すなわち、視野の中心から周辺にわたって、フィルターの作用を均一に生じさせることができる。このように、観察光学系は光軸に対して主光線が略平行となる部分を有し、この部分にフィルターを配置することが望ましい。
【００１６】
また、本実施形態の観察光学系は、後群が、正の屈折力を有するレンズ群を少なくとも備えることが好ましい。
【００１７】
このようにすることで、フィルターの作用をより均一に発生させることができる。なお、正の屈折力を有するレンズ群は、１つのレンズで構成されていても、複数のレンズで構成されていても良い。
【００１８】
また、本実施形態の観察光学系は、以下の条件式（１）を満足することが好ましい。
０＜ｆ／ｆｐ＜１．０                              ・・・（１）
ただし、ｆは観察光学系全系の焦点距離、
ｆｐは正の屈折力を有するレンズ群の焦点距離、
である。
【００１９】
条件式（１）の下限の０を下回ると、光束は周辺に行くにしたがい内向き（光軸側）に強くなり過ぎるので好ましくない。条件式（１）の上限の１．０を上回ると、光束は周辺に行くにしたがい外向きに強くなり過ぎるので好ましくない。
【００２０】
また、本実施形態の観察光学系は、以下の条件式（２）を満足することが好ましい。
０＜ｄ／Ｙ＜１                                    ・・・（２）
ただし、ｄは観察面と第１レンズ間の距離、
Ｙは観察面おける最軸外主光線の通過位置、
である。
【００２１】
条件式（２）の上限を上回ると、光学系が大型化するので好ましくない。
【００２２】
また、本実施形態の観察光学系は、以下の条件式（３）を満足することが好ましい。
０．０１＜ｔａｎθ／ｄ＜０．５                    ・・・（３）
ただし、ｄは観察面と第１レンズ間の距離、
θは最大視野角、
である。
【００２３】
条件式（３）の下限の０．０１を下回ると、光学系及びフィルターの全長や外径が大きくなるので好ましくない。
【００２４】
条件式（３）の上限の０．５を上回ると、レンズが観察面に近づく。この場合、レンズ面のゴミや欠陥に視度が合いやすくなるので好ましくない。
【００２５】
また、本実施形態の観察光学系では、後群は、移動するレンズを少なくとも１つ備えることが好ましい。
【００２６】
移動するレンズ群と観察面の間にフィルターを挟むので、観察面へゴミ等が入るのを低減することができる。なお、後群が１つのレンズで構成されている場合、この１つのレンズが移動する。また、後群が複数のレンズで構成されている場合、そのうちの１つのレンズが移動しても良いし、複数のレンズが移動しても良い。複数のレンズが移動する場合、後群全体が移動しても良い。
【００２７】
また、本実施形態の観察光学系では、フィルターは偏光板からなることが好ましい。
【００２８】
ゴーストを低減することが可能となる。
【００２９】
また、本実施形態の観察光学系は、更に、観察面の位置に視野絞りまたは画像表示素子を有し、以下の条件式（４）を満足することが好ましい。
３０＜ｔａｎ-1（Ｙ２／ｆ）＜４７                    ・・・（４）
ただし、Ｙ２は視野絞りまたは画像表示素子における対角長、
ｆは観察光学系全系の焦点距離、
である。
【００３０】
条件式（４）の下限の３０を下回ると、視野が狭くなる。この場合、眼の分解能の制約から解像度が上がらなくなるので好ましくない。また、観察光学系の全長が小さくなり過ぎる。この場合、フィルターを光学系内に収めるのが困難となるので好ましくない。
【００３１】
条件式（４）の上限の４７を上回ると、観察面に対する観察光学系全系の焦点距離が短くなる。この場合、フィルターを入れることにより非点収差が発生するが、この非点収差の補正が困難となるので好ましくない。
【００３２】
以下、本発明の実施例について図面を用いて説明する。なお、以下の各実施例は、観察光学系をビューファインダーに適用したものである。よって、ビューファインダーと称して、観察光学系の説明を行なう。
【００３３】
図１は、ビューファインダーの第１実施例にかかる光学構成を示す光軸に沿う断面図である。
【００３４】
第１実施例のビューファインダーでは、物体像が形成される観察面ＤとアイポイントＥの間に、観察光学系Ｏが配置されている。
【００３５】
観察光学系Ｏは、観察面Ｄ側より順に、前群としての前レンズ成分Ｌｆと、フィルターＦと、後１群としての後第１レンズ成分Ｌｒ１と、後２群としての後第２レンズ成分Ｌｒ２と、で構成されている。ここで、前レンズ成分Ｌｆは、観察面Ｄ側に平面を向けた平凸正レンズからなる。後第１レンズ成分Ｌｒ１は、両凹負レンズと両凸正レンズの接合レンズからなる。後第２レンズ成分Ｌｒ２は、両凸正レンズからなる。
【００３６】
非球面は、前レンズ成分Ｌｆのアイポイント側面に用いている。
【００３７】
図２は、ビューファインダーの第２実施例にかかる光学構成を示す光軸に沿う断面図である。
【００３８】
第２実施例のビューファインダーでは、物体像が形成される観察面ＤとアイポイントＥの間に、観察光学系Ｏが配置されている。
【００３９】
観察光学系Ｏは、観察面Ｄ側より順に、前１群としての前第１レンズ成分Ｌｆ１と、前２群としての前第２レンズ成分Ｌｆ２と、フィルターＦと、後群としての後レンズ成分Ｌｒと、で構成されている。ここで、前第１レンズ成分Ｌｆ１は、観察面Ｄ側に平面を向けた平凸正レンズからなる。前第２レンズ成分Ｌｆ２は、両凹負レンズと両凸正レンズの接合レンズからなる。後レンズ成分Ｌｒは、両凸正レンズからなる。
【００４０】
非球面は、前第１レンズ成分Ｌｆ１のアイポイント側面に用いている。
【００４１】
図３は、ビューファインダーの第３実施例にかかる光学構成を示す光軸に沿う断面図である。
【００４２】
第３実施例のビューファインダーでは、物体像が形成される観察面ＤとアイポイントＥの間に、観察光学系Ｏが配置されている。
【００４３】
観察光学系Ｏは、観察面Ｄ側より順に、前群としての前レンズ成分Ｌｆと、フィルターと、後群としての後レンズ成分Ｌｒとで構成されている。前レンズ成分Ｌｆは、両凹負レンズと両凸正レンズの接合レンズからなる。後レンズ成分Ｌｒは、両凸正レンズからなる。
【００４４】
また、観察光学系Ｏは、視度補正を可能とするため、光学系の全体又は一部が移動可能な構成としても良い。光学系の一部が移動する場合は、移動しない固定部が観察面Ｄに対する防塵効果を有する。また、アイポイント側にカバーガラスを有しても良い。なお、観察面Ｄに液晶表示素子ＬＣＤや有機ＥＬ等の表示素子を使用した場合、上記のビューファインダーは電子ビューファインダーとして利用することができる。
【００４５】
以下に、上記実施例１〜３の数値データを示す。また各条件式の値もまとめて示す。
【００４６】
これら実施例の数値データ及び各条件式の値は、ｒは各レンズ面の曲率半径、ｄは各レンズ面間の間隔、ｎは各レンズの屈折率、νは各レンズのアッベ数である。また、像面のｒはそれぞれの曲率半径である。なお、非球面形状は、ｘを光の進行方向を正とした光軸とし、ｙを光軸と直交する方向にとると、下記の式にて表される。
【００４７】
ｘ＝（ｙ2 ／ｒ）／［１＋｛１−（K＋１）（ｙ／ｒ）2 ｝1/2 ］
＋A2ｙ2＋A4ｙ4 ＋A6ｙ6 ＋A8ｙ8＋A10ｙ10
ただし、ｒは近軸曲率半径、Kは円錐係数、A2、A4、A6、A8、A10は、それぞれ２次、４次、６次、８次、１０次の非球面係数である。
【００４８】
また、数値データ内のE±N（Nは整数）は、×１０±Nを表す。
【００４９】
数値実施例１
単位     ｍｍ
面データ
面番号                  ｒ         ｄ        ｎ        νｄ    有効径
1（観察面)           ∞        可変                         17.75
2                    ∞        2.00      1.52542   55.78    17.24
3（非球面）        17.872      0.54                         17.07
4                    ∞        0.50      1.51633   64.14    17.60
5                    ∞        3.00                         17.60
6                 -17.090      2.14      1.80518   25.42    17.25
7                  26.464     10.12      1.83481   42.71    20.94
8                 -22.094      2.00                         23.38
9                  46.257      6.24      1.64000   60.08    26.80
10                 -40.996      可変                         22.49
11（瞳位置）          ∞
非球面係数
第３面
K=0,A2=-4.26E-02,A4=1.63E-04
変化量
視度(m-1)        +1       -1       -3 
d1           5.88     4.88     3.88 
d10         22.00    23.00    24.00 
各種データ
視度(m-1)        +1       -1       -3 
視野角          43.55°  44.19°  44.70°
全長            32.43    31.43    30.43 
入射瞳位置   10224.98  -513.41  -251.68 
焦点距離            22.1
前側主点位置      16.72 
前側主点位置      -0.39 
物体高             8.88
各レンズ焦点距離
前レンズ成分               65.23
後第１レンズ成分          282.45
後第１レンズ成分負レンズ  -12.62
後第１レンズ成分正レンズ   15.93
後第２レンズ成分           34.93
【００５０】
数値実施例２
単位     ｍｍ
面データ
面番号                  ｒ         ｄ        ｎ        νｄ    有効径
1（観察面)           ∞        可変                         17.75
2                    ∞        2.00      1.52542   55.78    17.24
3（非球面）        17.872      4.04                         17.07
4                 -17.090      2.14      1.80518   25.42    17.25
5                  26.464     10.12      1.83481   42.71    20.94
6                 -22.094      0.75                         23.38
7                    ∞        0.50      1.51633   64.14    22.46
8                    ∞        0.75                         22.46
9                  46.257      6.24      1.64000   60.08    26.80
10                 -40.996      可変                         22.49
11（瞳位置）          ∞
非球面係数
第３面
K=0,A2=-4.26E-02,A4=1.63E-04
変化量
視度(m-1)        +1       -1       -3 
d1           5.88     4.88     3.88 
d10         22.00    23.00    24.00 
各種データ
視度(m-1)        +1       -1       -3 
視野角          43.55°  44.19°  44.70°
全長            32.43    31.43    30.43 
入射瞳位置   10224.98  -513.41  -251.68 
焦点距離            22.1
前側主点位置      16.72 
前側主点位置      -0.39 
物体高             8.88
各レンズ焦点距離
前第１レンズ成分           65.23
前第２レンズ成分          282.45
前第２レンズ成分負レンズ  -12.62
前第２レンズ成分正レンズ   15.93
後レンズ成分               34.93
【００５１】
数値実施例３
単位     ｍｍ
面データ
面番号                  ｒ         ｄ        ｎｄ      νｄ    有効径
1（観察面)           ∞        可変                         17.74
2                 -89.444      1.50     1.80518    25.42    17.72
3                  18.127      7.97     1.51633    64.14    18.09
4                 -18.300     13.07                         19.06
5                    ∞        0.50     1.52000    64.14    18.63
6                    ∞        6.00                         18.61
7                  50.973      6.64     1.48749    70.23    16.89
8                 -28.519      可変                         16.05
9（仮想絞り）        ∞
変化量
視度(m-1)        +1       -1       -3 
d1           7.12     5.22     3.42 
d8          21.10    23.00    24.80 
各種データ
視度(m-1)        +1       -1       -3 
視野角          32.64°  32.90°  32.98°
全長            42.30    40.40    38.60 
入射瞳位置     183.06   272.67   513.20 
焦点距離            30.7
前側主点位置      24.53 
後側主点位置      -2.16 
物体高             8.88
各レンズ焦点距離
前レンズ成分              141.18
前レンズ成分負レンズ      -18.60
前レンズ成分正レンズ       19.06
後レンズ成分               38.57
【００５２】
条件式
実施例１         実施例２         実施例３
条件式（１）   0.07〜0.63       0.07〜0.63           0.80
条件式（２）   0.4 〜0.6        0.4 〜0.6        0.3 〜0.8
条件式（３）       44.0            44.0             32.6
条件式（４）   0.16〜0.25       0.16〜0.25       0.08〜0.19
【００５３】
以上の実施例１〜３の収差図をそれぞれ図４〜図６に示す。これらの収差図において、ＳＡは球面収差、ＡＳは非点収差、ＤＴは歪曲収差、ＤＺＹはコマ収差を示す。各図中、ＦＮＯはＦナンバー、ＦＩＹは像高を示す。
【００５４】
図７は、本発明の撮像装置の一例であるデジタルカメラの構成を示す図である。図７において、符号１０は撮像装置であるデジタルカメラで、撮像光学系１と、フィルター２と、撮像素子３と、コントローラー４と、内蔵メモリー５と、電子ビューファインダー６と
、インターフェイス７とより構成されている。
【００５５】
上記撮像装置において、撮像光学系１は複数の光学素子（レンズ等）にて構成されている。物体より発した光は、この撮像光学系１により集光され、この集光位置に物体像が形成される。そして、この集光位置には、ＣＣＤ等の撮像素子３（受光面）が配置されている。撮像素子３は、規則正しく配置された光電変換素子の集まりよりなっている。また、モアレ現象の発生を防止するために、ローパス効果を持つフィルター２が撮像光学系１と撮像素子３の間に配置されている。また、赤外光をカットするための赤外カットフィルターを配置することもある。
【００５６】
撮像素子３に入射した光束は、その光電変換素子により電気信号（画像信号）に変換される。この電気信号は、コントローラー４に入力される。ここで、コントローラー４により、ガンマー補正や画像圧縮処理等の信号処理が電気信号に対して行なわれる。信号処理が施された電気信号は、内蔵メモリー５やインターフェイス７を介してパーソナルコンピューター９等に出力される。
【００５７】
電子ビューファインダー６は、照明系、画像表示素子（図７には示していない）及び接眼光学系（接眼レンズ）等で構成されている。ここで、接眼光学系には、本実施形態の観察光学系Ｏが用いられている。また、観察面Ｄには、画像表示素子が配置されている。この画像表示素子は、コントローラー４によって制御されている。このような構成により、電子ビューファインダー６では、撮像しようとする物体の像や撮像された画像を観察者が観察し得るようになっている。また、内蔵メモリー５から補助メモリー８へ画像データを送ることできる。一方、インターフェイス７からは同じ画像データをパーソナルコンピューター９へ送ることができる。
【００５８】
図８は、本発明の撮像装置を銀塩カメラに適用した場合の構成を示すものである。図８に示すように、銀塩カメラ２０は、撮像光学系１１と、フィルム１２と、対物レンズ１３と、ＣＣＤ等の撮像素子１４と、第１のコントローラー１５と、第２のコントローラー１６とを有する。そしてさらに、図７のデジタルカメラと同様に、内蔵メモリー５と、電子ビューファインダー６とを備えている。なお、図示されているように、撮像光学系１１と対物レンズ１３とは、別の異なる光学系である。
【００５９】
この図８に示す銀塩カメラ２０では、物体からの光束は撮像光学系１１により集光され、この集光位置（第１集光位置）に物体像が形成される。第１集光位置には、フィルム１２が配置されている。また、物体より発した光束は、対物レンズ１３により集光され、この集光位置（第２集光位置）に物体像が形成される。この第２集光位置には、ＣＣＤ等の撮像素子１４が配置されている。撮像素子１４は、規則正しく配置された光電変換素子の集まりよりなっている。
【００６０】
この撮像素子１４に入射した光束は、光電変換素子にて電気信号（画像信号）に変換される。この電気信号は、第１のコントローラー１５に入力される。この第１のコントローラー１５により、ガンマー補正や画像圧縮処理等の信号処理が行なわれる。信号処理が施された電気信号は、画像表示素子へ送られる。上述のように、電子ビューファインダー６は、照明系、画像表示素子及び接眼光学系（接眼レンズ）等で構成されている。接眼光学系には、本実施形態の鑑札光学系Ｏが用いられている。この電子ビューファインダー６を介して、撮像しようとする物体の像を撮像者は観察し得る。
【００６１】
一方、内蔵メモリー５に蓄積された情報等を用いて、撮像で得られた画像を使用者（観察者）は観察し得る。このような制御は、第１のコントローラー１５により行なわれる。
【００６２】
また、撮像光学系１１を制御するためのものとして、第２のコントローラー１６を備えている。第２のコントローラー１６は、撮像光学系１１に対してズーミングやフォーカシング等の動作を行わせる。ズーミングやフォーカシング等の情報は、この第２のコントローラー１６からの信号を基に第１のコントローラー１５にて認識される。第１のコントローラー１５は、この認識により、画像表示素子に表示する像を撮像画角（ズーミング）に合わせて調節し得る。また、フォーカシング等の情報に基づいて、表示素子に表示される像の範囲の補正（パララックス補正）を行なうようにしてもよい。また、第１のコントローラー１５よりの信号は、内蔵メモリー５や図示してないインターフェイスへ送られるようにしても良い。そして、これらの信号（情報）を、インターフェイスを介してパーソナルコンピューター等に出力するようにしてもよい。
【００６３】
また、撮像光学系１１とフィルム１２の間に光路分割素子を配置しても良い。この光路分割素子を介して物体からの光束を撮像素子１４に導き、撮像素子１４に物体の像を形成しても良い。そして、この物体像を基に観察を行なうようにしてもよい。この場合、対物レンズ１３を用いる必要が無い。
【図面の簡単な説明】
【００６４】
【図１】本発明に係るビューファインダーの実施例１を示す図である。
【図２】本発明に係るビューファインダーの実施例２を示す図である。
【図３】本発明に係るビューファインダーの実施例３を示す図である。
【図４】実施例１のビューファインダーの収差図である。
【図５】実施例２のビューファインダーの収差図である。
【図６】実施例３のビューファインダーの収差図である。
【図７】本発明の撮像装置の一例であるデジタルカメラの構成を示す図である。
【図８】本発明の撮像装置を銀塩カメラに適用した場合の構成を示す図である。
【図９】観察面、アイポイント、アイポイント距離等を示す図である。
【符号の説明】
【００６５】
１…撮像光学系
２…フィルター
３…撮像素子
４…コントローラー
５…内蔵メモリー
６…電子ビューファインダー
７…インターフェイス
８…補助メモリー
９…パーソナルコンピューター
１０…デジタルカメラ
１１…撮像光学系
１２…フィルム
１３…対物レンズ
１４…撮像素子
１５…第１のコントローラー
１６…第２のコントローラー
２０…銀塩カメラ
【図１】
2009282180.tif 000003
【図２】
2009282180.tif 000004
【図３】
2009282180.tif 000005
【図４】
2009282180.tif 000006
【図５】
2009282180.tif 000007
【図６】
2009282180.tif 000008
【図７】
2009282180.tif 000009
【図８】
2009282180.tif 000010
【図９】
2009282180.tif 000011